(57)【要約】【課題】情報を投稿するユーザの利便性を向上させる技術を提供する。【解決手段】  ユーザが設定した表示タイミングに応じて取得可能となる投稿情報をサーバから取得し、取得した投稿情報に基づいてメッセージ情報に関する指標を表示部に表示する。メッセージ情報に関する指標を他のユーザの表示装置に表示させるタイミングを予め任意に設定できるため、ユーザが情報を投稿する時機を逃すことを防止でき、ユーザの利便性を向上させることができる。  【選択図】図１
2013120317.tif 000002
【特許請求の範囲】
【請求項１】
少なくとも地図画像を表示する表示部と、
前記地図画像上で、ユーザがメッセージ情報を投稿する座標位置と、前記メッセージ情報に関する指標を前記表示部に表示させる表示タイミングとを設定する設定手段と、
前記メッセージ情報を生成して、前記メッセージ情報および前記座標位置を含む投稿情報と、前記表示タイミングの情報とをサーバ装置に送信する情報生成手段と、
前記表示タイミングに応じて取得可能となる前記投稿情報を前記サーバ装置から取得する取得手段と、
取得された投稿情報に基づいて前記指標を前記表示部に表示させる表示制御手段と、
を備えることを特徴とする表示装置。
【請求項２】
少なくとも地図画像を表示する表示部と、
前記地図画像上で、ユーザがメッセージ情報を投稿する座標位置を設定した前記メッセージ情報および前記座標位置を含む投稿情報と、前記メッセージ情報に関する指標を前記表示部に表示させる表示タイミングの情報とを記憶するサーバ装置から、前記表示タイミングに応じて取得可能となる前記投稿情報を取得する取得手段と、
取得された投稿情報に基づいて前記指標を前記表示部に表示させる表示制御手段と、
を備えることを特徴とする表示装置。
【請求項３】
少なくとも地図画像を表示する表示部と、
前記地図画像上で、ユーザがメッセージ情報を投稿する座標位置と、前記メッセージ情報に関する指標を前記表示部に表示させる表示タイミングとを設定する設定手段と、
前記メッセージ情報を生成して、前記メッセージ情報および前記座標位置を含む投稿情報と、前記表示タイミングの情報とを第１サーバ装置に送信する情報生成手段と、
前記表示タイミングに応じて前記第１サーバから前記第２サーバに送信される前記投稿情報を前記第２サーバから取得する取得手段と、
取得された投稿情報に基づいて前記指標を前記表示部に表示させる表示制御手段と、
を備えることを特徴とする表示装置。
【請求項４】
請求項１または３のいずれかに記載の表示装置において、
前記設定手段は、所定周期ごとの前記表示タイミングを設定すること、
を特徴とする表示装置。
【請求項５】
ユーザの表示装置により生成されたメッセージ情報と、前記ユーザの表示装置により設定された前記メッセージ情報を投稿する座標位置と、前記メッセージ情報に関する指標を他のユーザの表示装置に表示させる表示タイミングとを前記ユーザの表示装置から受信する受信手段と、
前記表示タイミングに応じて、前記メッセージ情報および前記座標位置を前記他のユーザの表示装置に送信可能とする送信手段と、
を備えることを特徴とするサーバ装置。
【請求項６】
請求項１ないし４のいずれかに記載の表示装置と、
請求項５に記載のサーバ装置と、
を備えることを特徴とする表示システム。
【請求項７】
複数種のコンテンツをデコード可能な電子装置に含まれるコンピュータによって実行可能なプログラムであって、
前記プログラムの前記コンピュータによる実行は、前記コンピュータに、
（ａ）少なくとも地図画像を表示部に表示する工程と、
（ｂ）前記地図画像上で、ユーザがメッセージ情報を投稿する座標位置と、前記メッセージ情報に関する指標を前記表示部に表示させる表示タイミングとを設定する工程と、
（ｃ）前記メッセージ情報を生成して、前記メッセージ情報および前記座標位置を含む投稿情報と、前記表示タイミングの情報とをサーバ装置に送信する工程と、
前記表示タイミングに応じて取得可能となる前記投稿情報を前記サーバ装置から取得する工程と、
（ｄ）取得された投稿情報に基づいて前記指標を前記表示部に表示させる工程と、
を実行させることを特徴とするプログラム。
【請求項８】
（ａ）少なくとも地図画像を表示部に表示する工程と、
（ｂ）前記地図画像上で、ユーザがメッセージ情報を投稿する座標位置と、前記メッセージ情報に関する指標を前記表示部に表示させる表示タイミングとを設定する工程と、
（ｃ）前記メッセージ情報を生成して、前記メッセージ情報および前記座標位置を含む投稿情報と、前記表示タイミングの情報とをサーバ装置に送信する工程と、
前記表示タイミングに応じて取得可能となる前記投稿情報を前記サーバ装置から取得する工程と、
（ｄ）取得された投稿情報に基づいて前記指標を前記表示部に表示させる工程と、
を備えることを特徴とする表示方法。
【発明の詳細な説明】
【技術分野】
【０００１】
本発明は、投稿された情報を表示する表示装置の技術に関する。
【背景技術】
【０００２】
近年、地図画像と当該地図画像上にユーザの現在位置を表示する携帯電話などの携帯機器を車両の車内に持ち込んで、車内に設けられたナビゲーション装置などの表示装置との通信により各種機能を実現することが普及している。その中で、携帯機器と表示装置とが通信により、携帯機器の表示部に表示されている地図画像を含む画像と同じ画像を表示装置の表示部に表示させる。そして、車両のユーザが表示装置の操作部を操作すると、その操作情報を受信した携帯機器が操作内容を判別して、携帯機器の表示部に表示される画像を新たに生成し、携帯機器の表示部に表示される画像と同じ画像を表示装置の表示部に表示させる機能がある。
【０００３】
このような機能を利用した一例として次のようなものがある。まず、ツイッター（登録商標）などの情報投稿サービスにログインしているユーザが、同じ情報投稿サービスにログインしている他のユーザに対して情報を投稿する。つまり、車両のユーザが表示装置の操作部を操作することにより、その操作情報を受信した携帯機器が車両のユーザによって投稿する情報を生成する。そして、携帯機器と車両外部に設けられたサーバとが通信を行い、携帯機器から送信された定型文などの情報をサーバに記憶する。
【０００４】
次に、他のユーザの携帯機器がサーバから定型文などの投稿された情報を取得することで、他のユーザの携帯機器の表示部、および、他のユーザの表示装置の表示部の地図画像上に投稿された情報の存在を示すアイコン画像が表示される。そして、アイコン画像を見た他のユーザが投稿された情報に対して定型文などのコメントを生成する。その結果、車両のユーザは表示装置の表示部などでコメントの内容を確認し、投稿した情報に対する他のユーザからの回答を得ていた。なお、本発明と関連する文献として特許文献１がある。
【先行技術文献】
【特許文献】
【０００５】
【特許文献１】特開２００２−２９６０４３号公報
【発明の概要】
【発明が解決しようとする課題】
【０００６】
しかしながら、ユーザが投稿した情報を他のユーザの携帯機器に表示させたいタイミングが予め決まっている場合に、ユーザは投稿する情報をそのタイミングにあわせて生成できるとは限らず、ユーザが投稿する時機を逃す場合があった。また、同じ内容の情報を定期的に投稿したい場合、その都度投稿する情報を生成することはユーザにとって煩雑な作業となるときがあった。
【０００７】
本発明は、上記課題に鑑みてなされたものであり、投稿するユーザの利便性を向上させることを目的とする。
【課題を解決するための手段】
【０００８】
上記課題を解決するため、請求項１の発明は、少なくとも地図画像を表示する表示部と、前記地図画像上で、ユーザがメッセージ情報を投稿する座標位置と、前記メッセージ情報に関する指標を前記表示部に表示させる表示タイミングとを設定する設定手段と、前記メッセージ情報を生成して、前記メッセージ情報および前記座標位置を含む投稿情報と、前記表示タイミングの情報とをサーバ装置に送信する情報生成手段と、前記表示タイミングに応じて取得可能となる前記投稿情報を前記サーバ装置から取得する取得手段と、取得された投稿情報に基づいて前記指標を前記表示部に表示させる表示制御手段と、を備える。
【０００９】
また、請求項２の発明は、少なくとも地図画像を表示する表示部と、前記地図画像上で、ユーザがメッセージ情報を投稿する座標位置を設定した前記メッセージ情報および前記座標位置を含む投稿情報と、前記メッセージ情報に関する指標を前記表示部に表示させる表示タイミングの情報とを記憶するサーバ装置から、前記表示タイミングに応じて取得可能となる前記投稿情報を取得する取得手段と、取得された投稿情報に基づいて前記指標を前記表示部に表示させる表示制御手段と、を備える。
【００１０】
また、請求項３の発明は、少なくとも地図画像を表示する表示部と、前記地図画像上で、ユーザがメッセージ情報を投稿する座標位置と、前記メッセージ情報に関する指標を前記表示部に表示させる表示タイミングとを設定する設定手段と、前記メッセージ情報を生成して、前記メッセージ情報および前記座標位置を含む投稿情報と、前記表示タイミングの情報とを第１サーバ装置に送信する情報生成手段と、前記表示タイミングに応じて前記第１サーバから前記第２サーバに送信される前記投稿情報を前記第２サーバから取得する取得手段と、取得された投稿情報に基づいて前記指標を前記表示部に表示させる表示制御手段と、を備える。
【００１１】
また、請求項４の発明は、請求項１または３のいずれかに記載の表示装置において、前記設定手段は、所定周期ごとの前記表示タイミングを設定する。
【００１２】
また、請求項５の発明は、ユーザの表示装置により生成されたメッセージ情報と、前記ユーザの表示装置により設定された前記メッセージ情報を投稿する座標位置と、前記メッセージ情報に関する指標を他のユーザの表示装置に表示させる表示タイミングとを前記ユーザの表示装置から受信する受信手段と、前記表示タイミングに応じて、前記メッセージ情報および前記座標位置を前記他のユーザの表示装置に送信可能とする送信手段と、を備える。
【００１３】
また、請求項６の発明は、請求項１ないし４のいずれかに記載の表示装置と、請求項５に記載のサーバ装置と、を備える。
【００１４】
また、請求項７の発明は、複数種のコンテンツをデコード可能な電子装置に含まれるコンピュータによって実行可能なプログラムであって、前記プログラムの前記コンピュータによる実行は、前記コンピュータに、（ａ）少なくとも地図画像を表示部に表示する工程と、（ｂ）前記地図画像上で、ユーザがメッセージ情報を投稿する座標位置と、前記メッセージ情報に関する指標を前記表示部に表示させる表示タイミングとを設定する工程と、（ｃ）前記メッセージ情報を生成して、前記メッセージ情報および前記座標位置を含む投稿情報と、前記表示タイミングの情報とをサーバ装置に送信する工程と、前記表示タイミングに応じて取得可能となる前記投稿情報を前記サーバ装置から取得する工程と、（ｄ）取得された投稿情報に基づいて前記指標を前記表示部に表示させる工程と、を実行させる。
【００１５】
さらに、請求項８の発明は、（ａ）少なくとも地図画像を表示部に表示する工程と、（ｂ）前記地図画像上で、ユーザがメッセージ情報を投稿する座標位置と、前記メッセージ情報に関する指標を前記表示部に表示させる表示タイミングとを設定する工程と、（ｃ）前記メッセージ情報を生成して、前記メッセージ情報および前記座標位置を含む投稿情報と、前記表示タイミングの情報とをサーバ装置に送信する工程と、前記表示タイミングに応じて取得可能となる前記投稿情報を前記サーバ装置から取得する工程と、（ｄ）取得された投稿情報に基づいて前記指標を前記表示部に表示させる工程と、を備える。
【発明の効果】
【００１６】
請求項１〜８の発明によれば、ユーザが表示タイミングを設定することで、メッセージ情報に関する指標を他のユーザの表示装置に表示させるタイミングを予め任意に設定できるため、ユーザが投稿する時機を逃すことを防止でき、ユーザの利便性を向上させることができる。
【００１７】
また特に請求項２の発明によれば、ユーザの表示タイミングに応じて、メッセージ情報の指標を他のユーザに携帯機器に表示することで、他のユーザはコメントを要求するメッセージ情報を容易に判別でき、これによりメッセージ情報に対するコメントが得られやすくなる。
【００１８】
また特に請求項４の発明によれば、所定周期ごとの表示タイミングを設定することで、ユーザは繰り返しメッセージ情報を生成する必要がなく、ユーザの利便性が向上する。
【図面の簡単な説明】
【００１９】
【図１】図１は、本実施の形態に係る情報投稿システムの概要を示す図である。
【図２】図２は、表示装置の概要を示すブロック図である。
【図３】図３は、携帯機器の概要を示すブロック図である。
【図４】図４は、情報格納サーバの概要を示すブロック図である。
【図５】図５は、ツイッターサーバの概要を示すブロック図である。
【図６】図６は、表示装置の表示部に表示される画像を示している。
【図７】図７は、表示装置の表示部に表示される画像を示している。
【図８】図８は、表示装置の表示部に表示される画像を示している。
【図９】図９は、表示装置の表示部に表示される画像を示している。
【図１０】図１０は、表示装置の表示部に表示される画像を示している。
【図１１】図１１は、携帯機器の処理フローチャートを示す図である。
【図１２】図１２は、携帯機器の処理フローチャートを示す図である。
【図１３】図１３は、情報格納サーバの処理フローチャートを示す図である。
【図１４】図１４は、ツイッターサーバの処理フローチャートを示す図である。
【図１５】図１５は、携帯機器の処理フローチャートを示す図である。
【図１６】図１６は、携帯機器の処理フローチャートを示す図である。
【図１７】図１７は、表示装置の表示部に表示される画像を示す図である。
【発明を実施するための形態】
【００２０】
以下、図面を参照しつつ本発明の実施の形態について説明する。
【００２１】
＜１．第１の実施の形態＞
＜１−１．情報投稿システムの構成＞
図１は、本実施の形態に係る情報投稿システム１の概要を示す図である。情報投稿システム１は、車両１１内に備えられている車両用表示装置２(以下、「表示装置２」という。）、および、携帯機器３を有している。また、情報投稿システム１は、情報格納サーバ１０１、ツイッター（登録商標）サーバ１０２、および、地図サーバ１０３を備えている。
【００２２】
なお、以下においては車両１１の運転者を含む乗員で、かつ、表示装置２、および、携帯機器３の少なくともいずれか一方を操作する者を「車両１１のユーザ」という場合がある。また、車両１１のユーザとは異なるユーザであり、車両１１ａの運転者を含む乗員で表示装置２ａ、および、携帯機器３ａの少なくともいずれか一方を操作する者を「他のユーザ」という場合がある。さらに、車両１１のユーザおよび他のユーザの両方を含むそれぞれのユーザを「各ユーザ」という場合がある。
【００２３】
また、以下の説明、および図面において、車両１１のユーザとは異なるユーザである他のユーザが用いる装置を表す場合は、車両１１のユーザが用いる装置と区別するために、車両１１ａ、表示装置２ａ、および携帯機器３ａのようにａ付きで表示する。但し、他のユーザの各装置、機器の構成は車両１１のユーザのものと同様である。
【００２４】
図１に示す表示装置２（２ａ）は、車両１１（１１ａ）内で使用され、少なくとも表示部（例えば、図２に示す表示部２２（２２ａ））を有する電子機器である。表示装置２（２ａ）は、車両１１（１１ａ）のダッシュボードの開口部に設置して使用する、いわゆる嵌め込み型の電子機器や、ダッシュボード上に設置部材を用いて設置して使用する電子機器等、車両１１（１１ａ）のユーザが、表示部２２（２２ａ）に表示された画像を視認可能な電子機器であればよい。
【００２５】
携帯機器３（３ａ）は、後述する地図サーバ１０３から地図画像を取得し、例えば、当該地図画像と地図画像上の携帯機器３（３ａ）の現在位置を示す画像（車両１１（１１ａ）の現在位置を示す画像）とを表示部（例えば、図３に示す表示部３２（３２ａ））に表示する機能を有する可搬型の電子機器である。携帯機器３（３ａ）としては、例えば、スマートフォン、携帯電話、ＰＤＡ(Personal Digital Assistant)等が挙げられる。
【００２６】
なお、携帯機器３（３ａ）と表示装置２（２ａ）とは通信可能に構成されており、携帯機器３（３ａ）は、携帯機器の内部で生成し、表示部３２（３２ａ）に表示されている画像情報を表示装置２（２ａ）に送信する。表示装置２（２ａ）は、受信した画像情報を表示部２２（２２ａ）に表示する。
【００２７】
また、情報投稿システム１は、例えばツイッター（登録商標）などの情報投稿サービスに基づくものである。具体的にはサービスにログインしている車両１１のユーザが同じサービスにログインしている他のユーザに対し、例えば、車両１１のユーザの音声を録音した情報（以下、「メッセージ情報」ともいう。）を携帯機器３を介して投稿する。また、「メッセージ情報」は、車両１１のユーザの音声を録音した情報だけではなく、音声を録音した情報を情報格納サーバ１０１に保存した保存場所（例えば、ＵＲＬ（Uniform Resource Locator））も含む。さらに、特に、メッセージ情報のうち音声を録音した情報に限られる場合は「音声ファイル」といい、メッセージ情報のうち音声を録音した情報を情報格納サーバ１０１に保存した保存場所に限られる場合は、「音声ファイルの保存場所」という。
【００２８】
次に、図１に示す情報格納サーバ１０１、ツイッターサーバ１０２、および、地図サーバ１０３について説明する。これらのサーバ装置は、車両１１の外部に設けられたサーバ装置である。情報格納サーバ１０１は、車両１１のユーザの携帯機器３から送信された音声ファイル、車両１１のユーザがメッセージ情報を投稿する際に設定した座標位置（緯度／経度）、および、メッセージ情報に関する指標（例えば、図８の画像ｓｃ２１に示す投稿アイコンｉｃ１０１ａ）を表示部２２に表示させる表示タイミングの情報の主に３つの情報を記録する。そして、表示タイミングに応じて、携帯機器３にメッセージ情報、および、座標位置の情報をツイッターサーバ１０２に送信する。また、情報格納サーバ１０１は、車両１１のユーザのあるメッセージ情報に対して他のユーザがコメントするときの音声情報を保存する。他のユーザの音声情報は音声ファイルで保存され、車両１１のユーザのメッセージ情報との対応付けがなされている。そして、携帯機器３ａに他のユーザの音声ファイルの保存場所を送信する。
【００２９】
ツイッターサーバ１０２は携帯機器３（３ａ）から送信されるメッセージ情報と、車両１１のユーザがメッセージ情報を投稿する際に設定した座標位置との２つの情報を記録する。また、ツイッターサーバ１０２は、定型文（例えば、情報が投稿された旨の文章）と、音声ファイルの保存場所とを時系列に様々なユーザのつぶやき情報が表示されるタイムライン上に表示させる。なお、以下ではメッセージ情報と、車両１１のユーザがメッセージ情報を投稿する際に設定した座標位置の情報とをあわせて「投稿情報」という。
【００３０】
また、ツイッターサーバ１０２は、ツイッターのサービスにログインしている複数のユーザの座標位置の情報を収集する。そして、ツイッターのサービスにログインしている複数のユーザの携帯機器３（３ａ）の座標位置の情報を各ユーザに送信する。
【００３１】
地図サーバ１０３は携帯機器３（３ａ）の表示部３２（３２ａ）に表示する地図画像を各ユーザの携帯機器３（３ａ）からの地図画像の取得要求に応じて送信する。
【００３２】
＜１−２．車両用表示装置の構成＞
以下、情報投稿システム１の各部の構成、および、処理について説明する。まず、表示装置２（２ａ）の構成について説明する。図２は、表示装置２（２ａ）の概要を示すブロック図である。図２に示すように、表示装置２（２ａ）は、通信部２１（２１ａ）、表示部２２（２２ａ）、操作部２３（２３ａ）、および、制御部２４（２４ａ）を備えている。
【００３３】
通信部２１（２１ａ）は、携帯機器３（３ａ）と通信可能に接続され、携帯機器３（３ａ）との間で情報の送受信を行う。例えば、通信部２１（２１ａ）は、車両１１（１１ａ）のユーザが操作部２３（２３ａ）を操作した際の操作内容を操作情報として携帯機器３（３ａ）に送信し、携帯機器３（３ａ）で表示される画像情報を受信する。なお、表示装置２（２ａ）と携帯機器３（３ａ）との通信は、ケーブルを直接接続した有線による通信でもよく、無線通信でもよい。無線通信の場合における通信方法は、携帯機器３（３ａ）と表示装置２（２ａ）との間で遅延が生じることなく情報の送受信を行うことができるものであればよく、例えば、ブルートゥース（Bluetooth：登録商標）や、Ｗｉ−Ｆｉ（ワイファイ：登録商標）、ＺｉｇＢｅｅ（ジグビー：登録商標）等の無線通信規格を用いることができる。
【００３４】
表示部２２（２２ａ）は、携帯機器３（３ａ）から送信された画像を表示する。例えば地図画像上にメッセージ情報に関する指標（以下、「投稿アイコン」ともいい、例えば、図８の画像ｓｃ２１に示す投稿アイコンｉｃ１０１ａ）の画像等を重畳表示した画像を表示するものであり、例えば液晶ディスプレイや、有機ＥＬディスプレイ等である。
【００３５】
操作部２３（２３ａ）は、機械式のボタンやタッチパネルを備えた情報の入力装置である。例えば、車両１１のユーザが操作部２３を操作することによって、後述する携帯機器３の情報生成部４３（４３ａ）で音声ファイルを生成するための各種操作や、表示設定等の操作を行うことができる。なお、操作部２３（２３ａ）は、表示部２２（２２ａ）と一体のタッチパネルとして構成してもよい。
【００３６】
制御部２４（２４ａ）は、操作判定部２４１（２４１ａ）と表示制御部２４２（２４２ａ）とを備えており、また、図示しないＣＰＵ、ＲＡＭ、及びＲＯＭを備えるコンピュータである。制御部２４（２４ａ）は、表示装置２（２ａ）が備える通信部２１（２１ａ）等と接続され、表示装置２（２ａ）の全体を制御する。
【００３７】
操作判定部２４１（２４１ａ）は各ユーザの操作部２３（２３ａ）の操作内容を判定する。つまり、操作判定部２４１は、例えば車両１１のユーザが表示装置２の操作部２３を操作して音声ファイルを生成する操作を行った場合にその画面座標位置を検出し、当該画面座標位置の情報を通信部２１を介して携帯機器３に送信する。
【００３８】
ここで、音声ファイルを生成する操作とは、例えば、車両１１のユーザがタッチパネルである表示部２２に指などを接触させて地図画像上の位置（例えば、図６上図に示す画像ｓｃ１１の地点Ａ１）を選択して座標位置を設定する操作、および、音声を録音する場合に表示部２２に指などを接触させて特定のボタン画像（例えば、図７下図に示す画像ｓｃ１４の録音ボタンｂｔ１８の画像）を選択する操作等をいう。
【００３９】
また、操作判定部２４１ａは、例えば、他のユーザが表示装置２ａの操作部２３ａを操作して車両１１のユーザの音声ファイルの情報に対する他のユーザの音声ファイルを生成する操作を行った場合にその画面座標位置を検出し、当該画面座標位置の情報を通信部２１ａを介して携帯機器３ａに送信する。
【００４０】
ここで、他のユーザの音声ファイルを生成する操作とは、例えば、他のユーザがタッチパネルである表示部２２ａに指などを接触させて地図画像上の投稿アイコン(例えば、図８に示す画像ｓｃ２１の投稿アイコンｉｃ１０１ａ）を選択する操作、および、音声を録音する場合に表示部２２に指などを接触させて特定のボタン画像（例えば、図９に示す画像ｓｃ２３の録音ボタンｂｔ１８の画像）を選択する操作等をいう。
【００４１】
表示制御部２４２（２４２ａ）は、携帯機器３（３ａ）から送られた画像を表示部２２（２２ａ）に表示する。つまり、表示部２２（２２ａ）に各種画像（例えば、地図画像、投稿アイコンｉｃ１０１ａの画像、および、録音ボタンｂｔ１８の画像等）を表示する。
【００４２】
＜１−３．携帯機器の構成＞
次に携帯機器３（３ａ）の構成について説明する。図３は、携帯機器３（３ａ）の概要を示すブロック図である。図３に示すように、携帯機器３（３ａ）は、通信部３１（３１ａ）、表示部３２（３２ａ）、操作部３３（３３ａ）、ＧＰＳ（Global Positioning System）３４（３４ａ）、送受信部３５（３５ａ）、マイク３６（３６ａ）、記憶部３７（３７ａ）、および、スピーカ３８（３８ａ）を主に備えている。
【００４３】
通信部３１（３１ａ）は、携帯機器３（３ａ）と表示装置２（２ａ）とが通信可能に接続され、表示装置２（２ａ）との間で情報の送受信を行う。通信部３１（３１ａ）は、表示装置２（２ａ）に対して、自身の表示部３２で表示している画像を送信すると共に、地図画像にアイコン等を重畳した表示画像を送信する。そして、表示装置２（２ａ）から各ユーザが操作部２３（２３ａ）を操作した画面座標位置の情報を受信する。なお、通信の方法は、前述した表示装置２（２ａ）の通信部２１（２１ａ）が用いている方法と同じ方法を用いればよい。
【００４４】
表示部３２（３２ａ）は、地図サーバ１０３から受信した地図画像に、投稿アイコンｉｃ１０１aの画像等を重畳表示することで表示制御部４６（４６ａ）で作成された表示画像を表示するものであり、例えば液晶ディスプレイや、有機ＥＬディスプレイ等である。
【００４５】
操作部３３（３３ａ）は、機械式のボタンやタッチパネルを備えた情報の入力装置である。携帯機器３（３ａ）の情報生成部４３（４３ａ）で投稿情報を生成するための各種操作や、表示設定等の操作を行うことができる。なお、操作部３３（３３ａ）は、表示部３２（３２ａ）と一体のタッチパネルとして構成してもよい。
【００４６】
ＧＰＳ３４（３４ａ）は、複数のＧＰＳ衛星からの信号を受信して、携帯機器３（３ａ）の位置（すなわち、車両１１（１１ａ）の位置）を示す座標位置の情報を取得する。
【００４７】
送受信部３５（３５ａ）は、携帯機器３（３ａ）と各サーバ装置（情報格納サーバ１０１、ツイッターサーバ１０２、地図サーバ１０３）との情報の送受信を行う。例えば、送受信部３５（３５ａ）は、情報格納サーバ１０１に投稿情報、および、表示タイミングの情報を送信する。また、送受信部３５（３５ａ）は、ツイッターサーバ１０２から投稿情報を受信し、地図サーバ１０３から地図情報を受信する。
【００４８】
マイク３６（３６ａ）は、情報生成部４３（４３a）が車両１１のユーザ音声、および、他のユーザの音声を録音する際に用いられる装置である。例えば、表示部３２（３２ａ）に表示される録音開始ボタン（例えば、図７下図に示す画像ｓｃ１４の録音ボタンｂｔ１８）の画像を車両１１のユーザが操作することで、車両１１のユーザの音声がマイク３６で電気信号に変換される。
【００４９】
記憶部３７（３７ａ）は、投稿情報３７１（３７１ａ）、および、表示タイミング３７２（３７２ａ）、および、地図画像３７３（３７３ａ）を記憶する。また、記憶部３７（３７ａ）には携帯機器３（３ａ）の各種機能を実現するプログラムが記憶されている。なお、本実施の形態では、投稿情報３７１（３７１ａ）、および、表示タイミング３７２（３７２ａ）は別々のデータとして記憶しているが、一のデータとして記憶してもよい。        
【００５０】
投稿情報３７１（３７１ａ）は、後述する取得部４４（４４ａ）が送受信部３５（３５ａ）を介してツイッターサーバ１０２から取得した情報である。また、投稿情報３７１（３７１ａ）には、各ユーザの携帯機器３（３ａ）から情報格納サーバ１０１に送信する投稿情報が含まれる。
【００５１】
表示タイミング３７２（３７２ａ）は、後述するメッセージ情報を投稿した座標位置を中心に投稿アイコンを表示部２２に表示させる表示タイミングであり、具体的には、車両１１のユーザが他のユーザの表示装置２ａの表示部２２に投稿アイコンを表示させるように設定する特定の年月日、および、時間である。
【００５２】
そのため、表示タイミング３７２（３７２ａ）は、各ユーザの携帯機器３（３ａ）から投稿情報とともに情報格納サーバ１０１に送信される。そして、この表示タイミングに対応する年月日、および、時間となった場合に、情報格納サーバ１０１からツイッターサーバ１０２に投稿情報が送信される。
【００５３】
地図画像３７３（３７３ａ）は送受信部３５（３５ａ）を介して地図サーバ１０３から送信された地図データであり、後述する位置導出部４５（４５ａ）が導出した車両１１（１１ａ）の現在位置周辺の地図画像が読み出される。
【００５４】
スピーカ３８（３８ａ）は、車両１１のユーザが録音した音声、および、他のユーザが録音した音声の少なくともいずれかの音響情報を出力する装置である。スピーカ３８（３８ａ）は、例えば、制御部４０により再生された音声ファイルの音響情報を出力する。
【００５５】
制御部４０（４０ａ）は、操作判定部４１（４１ａ）、設定部４２（４２ａ）、情報生成部４３（４３ａ）、取得部４４（４４ａ）、位置導出部４５（４５ａ）、表示制御部４６（４６ａ）、範囲判定部４７（４７ａ）、および、報知部４８（４８ａ）を備えている。また、制御部４０（４０a）は図示しないＣＰＵ、ＲＡＭ、および、ＲＯＭを備えるコンピュータである。制御部４０（４０ａ）は、携帯機器３（３ａ）が備える記憶部３７（３７ａ）および通信部３１（３１ａ）等と接続され、携帯機器３（３ａ）の全体を制御する。
【００５６】
操作判定部４１（４１ａ）は、各ユーザが携帯機器３（３ａ）の操作部３３（３３ａ）を操作することによって、音声ファイルを生成する操作等が行われた場合にその操作内容を判定し、当該操作内容に対応する機能を動作させる。
【００５７】
また、操作判定部４１（４１ａ）は、前述のように各ユーザが表示装置２（２ａ）の操作部２３（２３ａ）を操作した画面座標位置を通信部３１（３１ａ）を介して受信したときは、当該画面座標位置に基づき操作内容を検出する。そして、検出した操作内容に基づいて各機能を動作させる。つまり、各ユーザは携帯機器３の操作部３３、および、表示装置２の操作部２３のどちらからでも同じ機能を動作させることができる。
【００５８】
設定部４２（４２ａ）は、車両１１のユーザが選択した地図画像上のメッセージ情報を投稿する地点に対応する座標位置を、メッセージ情報を投稿する座標位置（以下、「メッセージ投稿位置」ともいう。）として設定する。また、設定部４２（４２ａ）は、車両１１のユーザが選択したタイミングを他のユーザの表示部２２ａに投稿アイコンを表示させる表示タイミング（以下、単に「表示タイミング」ともいう。）として設定する。
【００５９】
情報生成部４３（４３ａ）は、メッセージ情報を生成して、投稿情報と表示タイミングの情報とを情報格納サーバ１０１に送信する。つまり、情報生成部４３は、車両１１のユーザの音声を録音して音声ファイルを生成し、当該音声ファイルと、車両１１のユーザがメッセージ投稿位置と、表示タイミングの情報とを送受信部３５を介して情報格納サーバ１０１に送信する。
【００６０】
また、情報生成部４３ａは、あるメッセージ情報に対してコメントするときの他のユーザの音声情報を音声ファイルで生成し、情報格納サーバ１０１に送受信部３５ａを介して送信する。そして、情報生成部４３ａは、情報格納サーバ１０１から他のユーザの音声ファイルの保存場所（ＵＲＬ）の情報を送受信部３５ａを介して受信し、当該他のユーザの音声ファイルの保存場所の情報と、車両１１のユーザの音声ファイルとの対応情報とをコメント情報として送受信部３５ａを介してツイッターサーバ１０２に送信する。
【００６１】
取得部４４（４４ａ）は、ツイッターサーバ１０２に情報取得要求を送信して各ユーザの投稿情報を取得する。そして、投稿情報３７１（３７１ａ）として記憶部３７（３７ａ）に記憶する。また、車両１１のユーザの投稿情報に対する他のユーザのコメント情報がツイッターサーバ１０２に保存されている場合は、コメント情報を取得して記憶部３７（３７ａ）に記憶させる。
【００６２】
また、取得部４４は、所定時間ごと、例えば１０分ごとにツイッターサーバ１０２から最新の投稿情報を自動的に取得し、記憶部３７の投稿情報３７１（３７１ａ）に上書きして記憶させる。
【００６３】
位置導出部４５（４５ａ）は、ＧＰＳ３４（３４ａ）から取得した情報から、携帯機器３（３ａ）の座標位置の情報を導出する。
【００６４】
表示制御部４６（４６ａ）は、表示部３２（３２ａ）に各種画像を表示させる。例えば、表示制御部４６（４６ａ）は、投稿情報３７１（３７１ａ）に基づいて、メッセージ情報が投稿された座標位置に対応する地図画像上の位置に投稿アイコンの画像を表示させる。また、表示制御部４６（４６ａ）は、携帯機器３（３ａ）の座標位置に対応する地図画像上の位置に自車アイコン（例えば、図６に示す画像ｓｃ１１の自車アイコンｉｃ１）を表示させる。
＜１−４．情報格納サーバ＞
図４は情報格納サーバ１０１の概要を示すブロック図である。情報格納サーバ１０１は、送受信部５１、記憶部５２、および、制御部５３を主に備えている。送受信部５１は、車両１１のユーザの携帯機器３から送信される投稿情報、および、表示タイミングの情報や車両１１ａの他のユーザの音声ファイル（音声ファイル３７５）を受信する。また、送受信部５１は、後述する制御部５３のタイミング判定部５３１の判定に基づいて、ツイッターサーバ１０２に投稿情報を送信する。
【００６５】
記憶部５２は、車両１１のユーザから送信された投稿情報（投稿情報３７１）および表示タイミングの情報（表示タイミング３７２）、更には投稿情報に対する他のユーザの音声ファイル（音声ファイル３７５）を記憶する。なお、記憶部５２は、その他にも制御部５３が情報格納サーバ１０１を制御する各種プログラムを記憶する。
【００６６】
制御部５３は、情報格納サーバ１０１全体を制御する装置であり、タイミング判定部５３１を主に備えている。制御部５３は、投稿情報を受信したときはその投稿情報を記憶部５２に記憶し、投稿情報に対する他のユーザの音声ファイルを受信したときは、当該音声フアィルと投稿情報とを関連付けて記憶部５２に記憶する。そして、他のユーザの音声ファイルの保存場所（ＵＲＬ）を他のユーザの携帯機器３ａに送信する。
【００６７】
タイミング判定部５３１は、表示タイミングに応じて投稿情報をツイッターサーバ１０２に送信する。つまり、タイミング判定部５３１は、まず表示タイミングに対応する年月日、および、時間となったか否かを判定する。例えば、車両１１のユーザが選択し、設定部４２により設定された表示タイミングが、２０１１年１１月１１日の７時３０分の場合に、この年月日、および、時間になったか否かを判定する。
【００６８】
そして、タイミング判定部５３１が表示タイミングになったと判定した場合に、記憶部５２から投稿情報３７１の情報を読み出して、送受信部５１を介して投稿情報をツイッターサーバ１０２に送信する。なお、送信される投稿情報に含まれるメッセージ情報としては、その保存場所（ＵＲＬ）の情報が送信される。ＵＲＬを送信することにより、音声ファイルを送信するよりもデータ量が少なくて済む。
＜１−５．ツイッターサーバ＞
図５はツイッターサーバ１０２の概要を示すブロック図である。ツイッターサーバ１０２は、送受信部６１、記憶部６２、および、制御部６３を主に備えている。送受信部５１は、情報格納サーバ１０１から送信される投稿情報、ツイッターのサービスにログインしている複数のユーザの座標位置の情報、および、他ユーザの携帯機器３ａからのコメント情報を受信する。そして、送受信部６１は、後述する制御部６３の処理に基づいて各ユーザの携帯機器３（３ａ）に投稿情報、コメント情報と、ツイッターのサービスにログインしている複数のユーザの携帯機器３（３ａ）の座標位置の情報等を各ユーザに送信する。
【００６９】
記憶部６２は、情報格納サーバ１０１から送信された投稿情報（投稿情報３７１）、複数のユーザの座標位置の情報である座標位置（座標位置３７４）、および、他ユーザの携帯機器３ａから送信されたコメント情報（コメント情報３７６）を記憶する。なお、記憶部５２は、その他にも制御部６３がツイッターサーバ１０２を制御する各種プログラムを記憶する。
【００７０】
制御部６３は、ツイッターサーバ１０２全体を制御する装置であり、携帯機器３（３ａ）の情報取得要求に応じて記憶部６２に記憶している投稿情報３７１、および、コメント情報３７６の情報を読み出して、送受信部６１を介して投稿情報およびコメント情報を携帯機器３（３ａ）に送信する。
【００７１】
このように情報格納サーバ１０１とツイッターサーバ１０２とが情報の送受信を行うことで、車両１１のユーザが他のユーザに表示させたいタイミングでメッセージ情報に関する指標を他のユーザの携帯機器３ａの表示部２２ａに表示できる。
【００７２】
＜１−４．画面遷移＞
図６上図は携帯機器３の情報投稿システム用プログラムが起動され、メッセージ情報の投稿がなされていない状態の基本画像ｓｃ１１（以下、単に「画像ｓｃ１１」という。）を示す図である。また、図６下図は、メッセージ情報を投稿する場合に投稿位置を決定するときの地点選択画像ｓｃ１２（以下、単位「画像ｓｃ１２」という。）を示す図である。どちらも車両１１のユーザの表示装置２の表示部２２に表示される画像として示している。なお、以下に説明する図６〜図１０に示す画像については、携帯機器３の表示部３２にも表示され、通信部３１を介して表示装置２の表示部２２に同様の画像が表示される。
【００７３】
画像ｓｃ１１では、表示制御部４６がＧＰＳ３４の情報に基づいて位置導出部４５により導出された携帯機器３、即ち車両１１の座標位置に基づき、記憶部３７から読み出された地図画像３７３と共にその対応する位置に、自車アイコンｉｃ１を表示する。なお、表示される地図画像は自車アイコンｉｃ１が地図画像の略中央位置に位置するよう切り出される。また、表示制御部４６は、ツイッターサーバ１０２から得た他のユーザの携帯機器３ａ、即ち他のユーザの車両１１ａの座標位置に基づき、地図画像３７３の対応する位置にユーザアイコンｉｃ２を表示する。
【００７４】
また、表示制御部４６はタッチパネル式の操作ボタン（ｂｔ１１〜ｂｔ１４）を地図画像の周囲に重畳表示する。投稿開始ボタンｂｔ１１は、メッセージ情報を投稿する場合に各ユーザが操作するボタンである。例えば、車両１１のユーザが投稿開始ボタンｂｔ１１を操作すると、予め定めた座標位置、例えば、地図画像上の略中央に対応する座標位置がメッセージ情報を投稿する座標位置として選択される。
【００７５】
なお、各ユーザがメッセージ情報の投稿を希望する座標位置を任意に選択する場合は次のような操作を行ってもよい。例えば、表示部２２の地図画像上の地点Ａ１に車両１１のユーザが指などを複数回接触させることで、地点Ａ１に対応する座標位置をメッセージ情報を投稿する座標位置として選択してもよい。
【００７６】
現在地ボタンｂｔ１２は、表示されている地図をスクロールする等により自車アイコンｉｃ１が表示範囲外になっているような場合に、自車アイコンｉｃ１を地図上に表示させるものである。具体的には、現在地ボタンｂｔ１２を車両１１のユーザが操作することで、自車アイコンｉｃ１が地図画像上の略中央に位置するよう表示される。
【００７７】
縮尺調整ボタンｂｔ１３は、表示部２２に表示されている地図画像を拡大／縮小するボタンである。つまり、車両１１のユーザが「＋」のボタンを操作することで、地図の縮尺を拡大し、車両１１のユーザが「−」のボタンを操作することで、地図の縮尺を縮小する。
【００７８】
更新ボタンｂｔ１４は、地図画像上に表示される情報を最新の情報に更新するボタンである。つまり、車両１１のユーザが更新ボタンｂｔ１４を操作することで、ツイッターサーバ１０２に情報取得要求が送信され、ツイッターサーバ１０２から最新の投稿情報を取得して、記憶部３７の投稿情報３７１として記憶する。そして、地図画像上に表示されている情報（例えば、図６上図の画像ｓｃ１１に示す他のユーザアイコンｉｃ２、図８上図の画像ｓｃ２１に示す投稿アイコンｉｃ１０１ａ）の表示位置や表示内容等が最新の投稿情報に対応するように更新される。
【００７９】
また、画像ｓｃ１１の上部には、表示制御部４６が表示する現在の時刻等（年月日、および、時間）を示す時計アイコンｙｄが表示されている。
【００８０】
この状態でユーザがメッセージ情報を投稿する座標位置（例えば、地点Ａ１）を選択すると、画像ｓｃ１２に示すように、表示制御部４６は選択された地点Ａ１の近傍に、投稿位置アイコンｉｃ３を表示する。具体的には投稿位置アイコンｉｃ３は車両１１のユーザが選択した地点Ａ１の位置を指し示す。  
【００８１】
また、画像ｓｃ１２では、表示制御部４６が基本画像ｓｃ１１の更新ボタンｂｔ１４の位置に、次画面ボタンｂｔ１５を表示する。この次画面ボタンｂｔ１５を車両１１のユーザが操作すると、設定部４２は車両１１のユーザが選択した地点（地点Ａ１）に対応する座標位置をメッセージ情報を投稿する座標位置として設定する。
【００８２】
なお、表示制御部４６は、戻るボタンｂｔ１７を画像ｓｃ１２に表示し、この戻るボタンｂｔ１７の操作により、表示部２２に表示されていた一つ前の画像が表示される。つまり、車両１１のユーザが戻るボタンｂｔ１７を操作すると、表示制御部４６は、一つ前の画像である画像ｓｃ１１を表示部２２に表示させる。
【００８３】
図７上図は、メッセージ情報の投稿を予約する予約設定画像ｓｃ１３（以下、単に「画像ｓｃ１３」という。）を示す図であり、図６下図の次画面ボタンｂｔ１５を操作すると表示される。
【００８４】
画像ｓｃ１３では、メッセージ情報に関する指標を他のユーザの表示部２２ａに表示する表示タイミングである年月日、および、時間を表示するための予約日時表示欄、タッチパネル式の操作ボタンである選択ボタンｂｔ５０、設定ボタンｂｔ５１、無設定ボタンｂｔ５２を主に表示している。車両１１のユーザが選択ボタンｂｔ５０を操作すると、年月日、および、時間が変更されることにより表示タイミングが選択される。
【００８５】
そして、車両１１のユーザが設定ボタンｂｔ５１を操作すると、車両１１のユーザが選択した時刻等（例えば画像ｓｃ１３に示す２０１１年１１月１１日 ７時３０分）を設定部４２が表示タイミングとして設定する。設定後、表示制御部４６は次の画像である画像ｓｃ１４を表示部２２に表示する（図７下図）。なお、車両１１のユーザが無設定ボタンｂｔ５２を操作すると、設定部４２は表示タイミングの設定をおこなわず、表示制御部４６は次の画像の車両１１のユーザの音声を録音する際に操作する画像であるメッセージ生成画像ｓｃ１４（以下、単に「画像ｓｃ１４」という。）を表示する。
【００８６】
画像ｓｃ１４では、表示制御部４６がタッチパネル式の操作ボタンである録音ボタンｂｔ１８、投稿ボタンｂｔ１９、および、戻るボタンｂｔ１７を表示するとともに、計測バーｇａを画像中に表示する。車両１１のユーザがメッセージを投稿するために録音ボタンｂｔ１８を操作すると、情報生成部４３はマイク３６を動作させ、車両１１のユーザの音声を電気信号へ変換する。そして、情報生成部４３は音声ファイルを生成する。
【００８７】
また、車両１１のユーザが録音ボタンｂｔ１８を操作することで、表示制御部４６は録音時間の経過に伴い計測バーｇａの色を変化させる。そして、録音終了後に車両１１のユーザが投稿ボタンｂｔ１９を操作すると、情報生成部４３が生成された音声ファイル、および、メッセージ投稿位置を含む投稿情報と表示タイミングの情報とを情報格納サーバ１０１に送信する。
【００８８】
ここで、情報生成部４３が情報格納サーバ１０１に送信した投稿情報および表示タイミングの情報は情報格納サーバ１０１に記憶される。そして、表示タイミングに対応した年月日、および、時間になると、音声ファイルの保存場所の情報と、メッセージ投稿位置の情報とが情報格納サーバ１０１からツイッターサーバ１０２に送信される。そして、ツイッターサーバ１０２は、各ユーザの携帯機器３（３ａ）の取得部４４（４４ａ）が所定時間ごと（例えば、１０分ごと）にツイッターサーバ１０２に対して送信する情報取得要求に応じて、ツイッターサーバ１０２は最新の投稿情報を各ユーザの携帯機器３（３ａ）に送信する。
【００８９】
なお、車両１１のユーザにより表示タイミングが設定されていない場合は、車両１１のユーザの操作により情報生成部４３が生成した音声ファイルとメッセージ投稿位置とが情報格納サーバ１０１に送信される。そして、情報格納サーバ１０１からツイッターサーバ１０２への情報の送信のタイミングで、情報格納サーバ１０１からツイッターサーバ１０２に音声ファイルの保存場所の情報であるＵＲＬとメッセージ投稿位置の情報とが送信される。このＵＲＬとメッセージ投稿位置の情報とを含む投稿情報を受信したツイッターサーバ１０２は、各ユーザの携帯機器３（３ａ）からの情報取得要求に応じて、投稿情報を各ユーザの携帯機器３（３ａ）に送信する。
【００９０】
図８上図は、他のユーザの携帯機器３ａにおいて、投稿アイコンを表示している投稿表示画像ｓｃ２１（以下、単に「画像ｓｃ２１」という。）を示し、携帯機器３ａの表示制御部４６ａがツイッターサーバ１０２から取得した投稿情報に基づいて地図画像上のメッセージ投稿位置に投稿アイコンｉｃ１０１ａを表示する。
【００９１】
そして、時計アイコンｙｄの時間に示すように表示タイミングに近い時間に他のユーザの表示部２２ａに投稿アイコンｉｃ１０１ａを表示する。これにより、メッセージ情報に関する指標である投稿アイコンを他のユーザの携帯機器３ａの表示部２２ａに表示させるタイミングを予め設定でき、車両１１のユーザの利便性を向上させることができる。また、表示部２２に投稿アイコンｉｃ１０１ａを表示することで、車両１１のユーザが設定した座標位置から所定の範囲内に存在する他のユーザに対してメッセージ情報の存在を通知することができ、複数のコメントを得られる可能性が高くなる。
【００９２】
なお、投稿アイコンｉｃ１０１ａは、それを表示している機器のユーザにとって、自身が投稿したものであるか、他人が投稿したものであるかによって色が変わる。すなわち、投稿アイコンｉｃ１０１ａは他人である車両１１のユーザが投稿したメッセージ情報であるため、例えば、表示制御部４６が投稿アイコンｉｃ１０１ａを投稿者自身の画面に表示されるアイコンとは異なる色で表示する。
【００９３】
なお、車両１１のユーザの表示装置２の表示部２２には取得部４４がツイッターサーバ１０２から取得した投稿情報に基づいて投稿アイコンが表示される。この投稿アイコンは、上述の投稿アイコンｉｃ１０１ａと同じアイコンであるが、車両１１のユーザ自身が投稿したメッセージ情報であるため、投稿アイコンｉｃ１０１ａとは異なる色で表示される。また、各ユーザがメッセージ情報の内容を確認した場合は、投稿情報の表示態様が変化する(例えば、色が変わったり、チェックマークが付されたりする）。これらの情報は例えば、ツイッターサーバ１０２で管理され、当該情報を受信した携帯機器３（３ａ）の表示制御部４６（４６ａ）が各表示態様で表示する。
【００９４】
投稿アイコンｉｃ１０１ａに他のユーザが指などを接触すると、図８下図に示す投稿／コメント確認画像ｓｃ２２（以下、単に「画像ｓｃ２２」という。）が表示される。画像ｓｃ２２には、投稿アイコンｉｃ１０１ａとその位置を示す地図画像の一部を表示する表示窓ｗｄと、他のユーザのコメントに関する詳細情報が表示されるコメント欄ｃｔ、次投稿ボタンｂｔ２１、前投稿ボタンｂｔ２２、戻るボタンｂｔ２３、削除ボタンｂｔ２４、再生ボタンｂｔ２５、コメントボタンｂｔ２６などのタッチパネル式の操作ボタンを表示制御部４６ａが表示されている。なお、現在は他のユーザからのコメントが得られていないため、コメント欄ｃｔにはコメントがない旨の表示がなされている。
【００９５】
次投稿ボタンｂｔ２１は、地図画像の一部と他のユーザが選択した投稿アイコンｉｃ１０１ａの画像とが表示された表示窓ｗｄに、次の投稿アイコンの画像と対応する地図画像とを表示させる機能を有する。つまり、次投稿ボタンｂｔ２１を他のユーザが操作することで、地図画像上に表示されている投稿アイコンの中で投稿アイコンｉｃ１０１ａ以外のアイコンが表示窓ｗｄ内に表示される。なお、表示される順序は、例えば、携帯機器３ａの座標位置から距離が近い座標位置の投稿アイコンの画像を順に表示する。
【００９６】
前投稿ボタンｂｔ２２は、表示窓ｗｄに現在表示されている投稿アイコンの一つ前に表示されていた投稿アイコンを表示させる機能を有する。
【００９７】
戻るボタンｂｔ２３は、表示部２２ａに表示されていた一つ前の画像を表示させる機能を有する。つまり、他のユーザが戻るボタンｂｔ２３を操作すると、表示制御部４６ａは、一つ前の画像である投稿表示画像ｓｃ２１を表示部２２ａに表示させる。
【００９８】
削除ボタンｂｔ２４は、他のユーザが選択した投稿アイコンｉｃ１０１ａを表示部２２ａの表示から削除する機能を有する。
【００９９】
再生ボタンｂｔ２５は、投稿情報に含まれる情報格納サーバ１０１における音声ファイルの保存場所の情報、つまりＵＲＬと対応付けられたボタンであり、当該ボタンを各ユーザが操作することで、情報格納サーバ１０１に格納された車両１１のユーザの音声ファイルを制御部４０（４０ａ）が再生する。
【０１００】
コメントボタンｂｔ２６は、他のユーザが車両１１のユーザの音声ファイルの内容を再生して確認した後に、他のユーザの音声ファイルを生成するためのボタンであり、当該ボタンを他のユーザが操作することで、他のユーザが音声を録音して投稿する操作を行う図９に示すコメント生成画像ｓｃ２３（以下、単に「画像ｓｃ２３」という。）を表示制御部４６ａが表示部２２ａに表示する。
【０１０１】
画像ｓｃ２３は、他のユーザの音声を録音する際に表示部２２ａに表示される画像であり、録音ボタンｂｔ１８、投稿ボタンｂｔ１９、および、戻るボタンｂｔ２０などのタッチパネル式の操作ボタンを表示制御部４６ａが表示している。
【０１０２】
画像ｓｃ２３の各ボタン等の機能は、図７の画像ｓｃ１４の各ボタン等の機能と同じである。そして、他のユーザが投稿ボタンｂｔ１９を操作して、コメントを音声で生成すると、情報生成部４３ａは他のユーザの音声を録音し音声ファイルを生成して、当該音声ファイルを情報格納サーバ１０１に送信する。情報格納サーバ１０１は、受信した音声ファイルを投稿情報と関連付けて記憶する。
【０１０３】
図１０上図は、車両１１のユーザの投稿情報に対して他のユーザがコメントを投稿した場合に、表示されるコメント通知画像ｓｃ１５（以下、単に「画像ｓｃ１５」という。）を示す図であり、表示制御部４６が表示部２２に表示する
画像ｓｃ１５は図６で説明した画像ｓｃ１１と略同様の画像であり、一部が相違する。相違する点は、地図画像上に投稿アイコンｉｃ１０１の画像が表示されている点と、コメント追加表示ａｄの画像が表示されている点である。つまり、定期的あるいは更新ボタンｂｔ１４をユーザが操作することにより、取得部４４がツイッターサーバ１０２から投稿情報を取得した場合に、当該投稿情報に基づいて表示制御部４６が投稿アイコンｉｃ１０１を地図画像に重畳して表示する。そして、投稿情報に対して他のユーザからのコメントである音声ファイルが追加されたときは、表示制御部４６がコメント追加表示ａｄの画像を地図画像上に重畳表示する。この状態で車両１１のユーザが投稿アイコンｉｃ１０１に指などを接触させて選択すると、図１０下図に示すコメント確認画像ｓｃ１６（以下、単に「画像ｓｃ１６」という。）が表示される。
【０１０４】
画像ｓｃ１６は、図８で説明した画像ｓｃ２２と略同様の構成を有し、一部が相違する。相違する点は、表示窓ｗｄに表示されている投稿アイコンが車両１１のユーザからみた投稿アイコンｉｃ１０１であり、コメント欄ｃｔに他のユーザのコメントである音声ファイルが追加されている点である。つまり、他のユーザの携帯機器３ａから音声格納サーバ１０１に送信された他のユーザの音声ファイルに対する音声格納サーバ１０１の保存場所を示す情報と、車両１１のユーザの音声ファイルとの対応情報とを含むコメント情報を携帯機器３の取得部４４がツイッターサーバ１０２から取得し、投稿アイコンｉｃ１０１に関する詳細情報を表示制御部４６が表示部２２に表示する。また、コメントの情報は投稿された時間が現在の時間から近い順に表示してもよいし、車両１１のユーザの現在の座標位置に対して投稿アイコンの座標位置の距離が近い順に表示してもよい。
【０１０５】
なお、他のユーザが表示部２２ａの地図画像上に重畳表示されている投稿アイコンｉｃ１０１ａに指などを接触させて選択すると、図１０の下図の画像ｓｃ１６と略同じ画像が表示部２２ａに表示される。ここで、画像ｓｃ１６との違いは、表示窓ｗｄに表示されている投稿アイコンが他のユーザの表示部２２ａの表示画面に表示されている投稿アイコンｉｃ１０１ａである点である。
【０１０６】
削除ボタンｂｔ２７は、車両１１のユーザが選択した投稿アイコンｉｃ１０１を表示部２２の表示から削除する機能を有する。
【０１０７】
再生ボタンｂｔ２８は、他のユーザの音声ファイルが情報格納サーバ１０１内で保存された場所、つまりＵＲＬと対応付けられたボタンであり、当該ボタンを各ユーザが操作することで、情報格納サーバ１０１に格納された他のユーザの音声ファイルを制御部４０（４０ａ）が再生する。
【０１０８】
前コメントボタンｂｔ２９は、現在コメント欄に表示されているユーザの前（例えば、録音時間が現在のコメントである音声ファイルの録音時間よりも前）の他ユーザのコメントに関する情報をコメント欄ｃｔに表示させる機能を有する。
【０１０９】
次コメントボタンｂｔ３０は、現在コメント欄に表示されているユーザの次（例えば、録音時間が現在のコメントである音声ファイルの録音時間よりも後）の他ユーザのコメントに関する情報をコメント欄ｃｔに表示させる機能を有する。このようにして、メッセージを投稿したユーザはボタンｂｔ２８〜ｂｔ２９を操作することで、メッセージに対する他のユーザからのコメントを確認することができる。
＜１−５．フローチャート＞
図１１、および、図１２は投稿情報を生成し、ツイッターサーバ１０２に送信するまでの携帯機器３（３ａ）の処理フローチャートを示す図である。なお、本実施の形態では、メッセージ情報を投稿するユーザは車両１１のユーザであるとしている。したがって、処理説明の理解を容易にするため、図１１〜図１２の処理は車両１１のユーザの携帯機器３の処理を例に説明する。
【０１１０】
ステップＳ１０１では、操作部２３により車両１１のユーザが地図画像をスクロールさせる操作を行ったことを操作判定部４１が検出した場合に、表示制御部４６が記憶部３７に記憶された地図画像３７３を読み出して車両１１のユーザの指定した位置の地図画像を表示部２２に表示させる。  
【０１１１】
次に、ステップＳ１０２では、メッセージ情報を投稿する操作を車両１１のユーザが行ったことを操作判定部４１が検出した場合(ステップＳ１０２がＹｅｓ）、ステップＳ１０２ａの処理に進む。具体的には、車両１１のユーザが投稿開始ボタンｂｔ１１を操作、および、タッチパネルである表示部２２に指などを接触させて地図画像上の位置を選択する操作のいずれかの操作が該当する。なお、車両１１のユーザのメッセージ情報を投稿する操作を操作判定部４１が検出していない場合（ステップＳ１０２がＮｏ）は、ステップＳ１０１の処理に戻る。
【０１１２】
ステップＳ１０２ａでは、車両１１のユーザの操作を操作判定部４１が検出した場合、画像ｓｃ１２に示すように表示制御部４６が、投稿位置アイコンｉｃ３の画像を表示部２２に表示させて（ステップＳ１０２ａ）、ステップＳ１０３の処理に進む。  
【０１１３】
ステップＳ１０３では、車両１１のユーザが地図画像をスクロールさせる操作を行ったことを操作判定部４１が検出した場合に、表示制御部４６は記憶部３７に記憶された地図画像３７３を読み出す。そして、車両１１のユーザが指定した位置の地図画像を表示部２２に表示させて、ステップＳ１０４の処理に進む。なお、ステップＳ１０２ａにおいて、投稿位置アイコンｉｃ３が表示された状態で、ステップＳ１０３で地図をスクロールする場合は、投稿位置アイコンｉｃ３が地図画像上の同じ位置を指し示す状態で地図がスクロールされる。
【０１１４】
次に、ステップＳ１０４では、車両１１のユーザがメッセージ情報を投稿する座標位置を設定したことを操作判定部４１が検出した場合（ステップＳ１０４がＹｅｓ）、ステップＳ１０４ａの処理に進む。具体的には、車両１１のユーザが画像ｓｃ１２の次画面ボタンｂｔ１５を操作すると、設定部４２が車両１１のユーザが選択した座標位置をメッセージ情報を投稿する座標位置として設定する。なお、操作判定部４１が座標位置を設定する操作を検出していない場合（ステップＳ１０４がＮｏ）は、ステップＳ１０３の処理に戻る。
【０１１５】
ステップＳ１０４ａでは、表示制御部４６が、メッセージ情報の投稿を予約する画像である図７上図に示す画像ｓｃ１３を表示して、ステップＳ１０５の処理に進む。
【０１１６】
ステップＳ１０５では、画像ｓｃ１３のタッチパネル式の操作ボタンである選択ボタンｂｔ５０、および、設定ボタンｂｔ５１を車両１１のユーザが操作して、表示タイミングを選択したことを操作判定部４１が検出すると、設定部４２が表示タイミングを設定し、図１２に示すステップＳ１０５ａの処理に進む。なお、車両１１のユーザが無設定ボタンｂｔ５２を操作したことを操作判定部４１が検出した場合は、設定部４２は表示タイミングを設定することなくステップＳ１０５ａの処理に進む。
【０１１７】
ステップＳ１０５ａでは、表示制御部４６が、図７下図に示すメッセージ情報を録音する画像ｓｃ１４を表示して（ステップＳ１０５ａ）ステップＳ１０６の処理に進む。
【０１１８】
ステップＳ１０６では、車両１１のユーザが画像ｓｃ１４の録音ボタンｂｔ１８を操作したことを操作判定部４１が検出すると、情報生成部４３がマイク３６を動作させ、車両１１のユーザの音声の録音が開始され、ステップＳ１０７の処理に進む。
【０１１９】
ステップＳ１０７では、車両１１のユーザの音声の録音が終了した場合（ステップＳ１０７がＹｅｓ）は、ステップＳ１０８の処理に進む。例えば、車両１１のユーザが録音ボタンｂｔ１８を操作したことを操作判定部４１が検出して、１５秒経過した場合に録音が終了する。なお、録音が終了していない場合（ステップＳ１０７がＮｏ）の場合は、ステップＳ１０６の処理に戻って録音を継続する。
【０１２０】
ステップＳ１０８では、情報生成部４３により生成された音声ファイル、および、メッセージ投稿位置を含む投稿情報と、表示タイミングの情報とを情報生成部４３が情報格納サーバ１０１に送信する。
【０１２１】
図１３は、情報格納サーバ１０１の処理フローチャートを示す図であり、携帯機器３（３ａ）からの情報を受信して、受信した情報を記憶し、ツイッターサーバ１０２に情報を送信するまでの処理を示す。
【０１２２】
ステップＳ２０１では、携帯機器３から送信された投稿情報、および、表示タイミングの情報を送受信部５１が受信し、ステップＳ２０２の処理に進む。
【０１２３】
ステップＳ２０２では、タイミング判定部５３１が携帯機器３から受信した表示タイミングの情報に基づいて、メッセージ情報に関する指標を表示部２２ａに表示させる表示タイミングか否かを判定し、表示タイミングの場合（ステップＳ２０２がＹｅｓ）は、ステップＳ２０３の処理に進む。なお、タイミング判定部５３１が表示タイミングであると判定していない場合（ステップＳ２０２がＮｏ）は、ステップＳ２０１の処理に戻り、携帯機器３から送信される投稿情報等の受信を継続して行う。
【０１２４】
なお、表示タイミングが設定されていない情報については、情報格納サーバ１０１からツイッターサーバ１０２の情報を送信するタイミングで、情報格納サーバ１０１からツイッターサーバ１０２に音声ファイルの保存場所の情報であるＵＲＬとメッセージ投稿位置の情報とが送信される。
【０１２５】
ステップＳ２０３では、表示タイミングとなった投稿情報を記憶部５２の投稿情報３７１から読み出して送受信部５１を介してツイッターサーバ１０２に送信する。
【０１２６】
図１４は、ツイッターサーバ１０２の処理フローチャートを示す図であり、情報格納サーバ１０１から投稿情報を受信して、受信した投稿情報を記憶し、投稿情報を携帯機器３（３ａ）に送信するまでの処理を示す。なお、本実施の形態では、ツイッターサーバ１０２から投稿情報を取得する主なユーザは他のユーザであるとしている。したがって、処理説明の理解を容易にするため、図１４および図１５の処理は他のユーザの携帯機器３ａの処理を例に説明する。
【０１２７】
ステップＳ３０１では、ツイッターサーバ１０２の送受信部６１が情報格納サーバ１０１から投稿情報を受信して、ステップＳ３０２の処理に進む。なお、情報格納サーバ１０１から受信する投稿情報は、車両１１のユーザが表示タイミングの設定を行っているものについては、当該表示タイミングとなった投稿情報である。
【０１２８】
ステップＳ３０２では、ツイッターサーバ１０２の送受信部が携帯機器３ａからの情報取得要求を受信した場合（ステップＳ３０２がＹｅｓ）、ステップＳ３０３の処理に進む。なお、携帯機器３ａからの情報取得要求を受信していない場合（ステップＳ３０３がＮｏ）、ステップＳ３０１の処理に戻り情報格納サーバ１０１から送信される投稿情報の受信を継続して行う。
【０１２９】
ステップＳ３０３では、制御部６３が記憶部６２から投稿情報３７１を読み出し、読み出した投稿情報を他のユーザの携帯機器３ａに送信する。
【０１３０】
図１５は、ツイッターサーバ１０２から投稿情報を受信する携帯機器３（３ａ）の処理フローチャートを示す図である。ステップＳ４０１では、他のユーザの携帯機器３ａの取得部４４ａが投稿情報の情報取得要求を送受信部３５ａを介してツイッターサーバ１０２に送信し、ステップＳ４０２の処理に進む。
【０１３１】
ステップＳ４０２では、送受信部３５ａがツイッターサーバ１０２から送信された投稿情報を受信して、ステップＳ４０３の処理に進む。
【０１３２】
ステップＳ４０３では、表示制御部４６がツイッターサーバ１０２から受信した投稿情報に基づいて、投稿アイコンｉｃ１０１ａの画像を地図画像に重畳表示する。
【０１３３】
図１６は、各ユーザの操作により情報生成部４３ａが音声ファイルを生成する処理フローチャートである。本実施の形態では、コメントの音声ファイルを生成するのは他のユーザとして説明していたため、他のユーザの携帯機器３ａの処理を例に説明する。
【０１３４】
ステップＳ５０１では、操作判定部４１ａが他のユーザにより図８下図の画像ｓｃ２２のコメントボタンｂｔ２６が操作されたことを判定すると（ステップＳ５０１がＹｅｓ）、ステップＳ３０２の処理に進む。なお、操作判定部４１ａが他のユーザによるコメントボタンｂｔ２６の操作がなされたと判定していない場合（ステップＳ５０１がＮｏ）は処理を終了する。
【０１３５】
ステップＳ５０２では、他のユーザの音声を録音する図９に示す画像ｓｃ２３を表示制御部４６ａが表示部２２ａに表示して、ステップＳ５０３の処理に進む。
【０１３６】
ステップＳ５０３では、他のユーザが画像ｓｃ２３の録音ボタンｂｔ１８を操作したことを操作判定部４１ａが検出すると、その検出情報に基づいて情報生成部４３ａがマイク３６ａを動作させ、他のユーザの音声の録音が開始され、ステップＳ５０４の処理に進む。
【０１３７】
ステップＳ５０４では、他のユーザの音声の録音が終了した場合（ステップＳ５０４がＹｅｓ）は、ステップＳ５０５の処理に進む。例えば、他のユーザが録音ボタンｂｔ１８を操作したことを操作判定部４１ａが検出して、１５秒経過した場合に録音が終了する。なお、録音が終了していない場合（ステップＳ５０４がＮｏ）は、ステップＳ５０３の処理に戻って録音を継続する。
【０１３８】
ステップＳ５０５では、情報生成部４３ａにより生成された音声ファイルが情報格納サーバ１０１に送信され、ステップＳ５０６の処理に進む。
【０１３９】
ステップＳ５０６では、情報格納サーバ１０１から送信された音声ファイルの保存場所の情報を送受信部３５ａを介して制御部４０ａが受信して、ステップＳ５０７の処理に進む。
【０１４０】
ステップＳ５０７では、制御部４０ａは、送受信部３５ａを介して、ツイッターサーバ１０２に音声ファイルの保存場所の情報と、車両１１のユーザの音声ファイルとの対応情報とを含むコメント情報を送信する。
【０１４１】
以上、第１の実施の形態によれば、車両１１のユーザがメッセージ情報を投稿する際に予め他のユーザに対して投稿アイコンを表示させる表示タイミングを設定することで、ユーザが投稿する時機を逃すことを防止でき、ユーザの利便性を向上させることができる。
＜第２の実施の形態＞
次に、第２の実施の形態について説明する。第２の実施の形態と第１の実施形態との相違点は次のようなものである。つまり、第１実施の形態では設定した表示タイミングは、メッセージ情報に関する指標である投稿アイコンｉｃ１０１ａを、設定した表示タイミングに応じて表示部２２（２２ａ）に１回だけ表示させるものであった。つまり、車両１１のユーザの１回の投稿に対して、当該投稿された情報が例えば、数時間でツイッターサーバ１０２から削除され、携帯機器３（３ａ）からの情報取得要求に応じて取得された投稿情報には、時間の経過した投稿情報が含まれていないため各ユーザの表示部２２（２２ａ）には、所定の表示期間を経過した投稿アイコンが表示されない状態であった。これに対して、第２の実施の形態では、毎日決まった時間等の所定周期ごとに複数回、表示部２２（２２ａ）に投稿アイコンｉｃ１０１ａを表示させるものである。
＜２−１．画面表示＞
図１７に示す周期予約設定画像ｓｃ１３ａは、図７に示した画像ｓｃ１３にタッチパネル式の操作ボタンである月設定ボタンｂｔ５３、および、日設定ボタンｂｔ５４を加えた画像である。この月設定ボタンｂｔ５３は、表示タイミングを毎月の周期で設定するボタンである。また、日設定ボタンｂｔ５４は、表示タイミングを毎日の周期で設定するボタンである。
【０１４２】
つまり、選択ボタンｂｔ５０、および、月設定ボタンｂｔ５３を車両１１のユーザが操作して、設定ボタンｂｔ５１を操作すると、設定部４２が車両１１のユーザが選択した年月日、および、時間と、それ以後の同じ日の同じ時間に繰り返しメッセージ情報に関する指標を携帯機器３ａの表示部２２ａに表示するように表示タイミングを設定する。
【０１４３】
また、選択ボタンｂｔ５０、および、日設定ボタンｂｔ５４を車両１１のユーザが操作して、設定ボタンｂｔ５１を操作すると、設定部４２が車両１１のユーザが選択した年月日、および、時間と、それ以降の同じ時間に繰り返しメッセージ情報に関する指標を携帯機器３ａの表示部２２ａに表示するように表示タイミングを設定する。
【０１４４】
つまり、月設定ボタンｂｔ５３、および、日設定ボタンｂｔ５４のいずれかを操作することで、所定周期ごとにメッセージ情報に関する指標を携帯機器３ａの表示部２２ａに表示するように設定部４２が表示タイミングを設定する。これにより、車両１１のユーザは、繰り返しメッセージ情報を生成する必要がなく、車両１１のユーザの利便性が向上する。
【０１４５】
＜３．変形例＞
以上、本発明の実施の形態について説明してきたが、この発明は上記実施の形態に限定されるものではなく様々な変形が可能である。以下では、このような変形例について説明する。上記実施の形態、および、以下で説明する形態を含む全ての形態は、適宜に組み合わせ可能である。
【０１４６】
上記実施の形態では、情報を投稿するサービスとしてツイッターを用いた例で説明したが、これに限定されるものではなく、例えばブログ、簡易メール、ＳＮＳ（Social Network Service)などの投稿サービスで上記実施の形態の内容を適用することもできる。
【０１４７】
また、上記実施の形態では、表示タイミングに対応する年月日、および、時間となった場合に、情報格納サーバ１０１からツイッターサーバ１０２に投稿情報が送信されるように説明した。これ以外にも、表示タイミングに対応する年月日、および、時間となる前に情報格納サーバ１０１からツイッターサーバ１０２に投稿情報を送信するようにしてもよい。つまり、表示タイミングとなる前に他のユーザの携帯機器３ａからの情報取得要求に応じて、ツイッターサーバ１０２から携帯機器３ａに投稿情報を送信し、表示タイミングに対応する年月日、および、時間となった場合に、表示装置２ａの表示部２２ａに投稿アイコンを表示するようにしてもよい。
【０１４８】
また、上述の情報格納サーバ１０１とツイッターサーバ１０２とを一つの統合サーバとし、携帯機器３から統合サーバへ音声ファイルと座標位置の情報とを送信し、統合サーバから携帯機器３（３ａ）が投稿情報を取得するようにしてもよい。つまり、上記実施の形態では、携帯機器３（３ａ）は、投稿情報および表示タイミングの情報を情報格納サーバ１０１に送信し、表示タイミングに対応した年月日、および、時間となった場合に、情報格納サーバ１０１からツイッターサーバ１０２に投稿情報が送信される。そして、ツイッターサーバ１０２に携帯機器３（３ａ）からの情報取得要求を送信することで、携帯機器３（３ａ）がツイッターサーバ１０２から投稿情報を受信する。その結果、投稿アイコンが地図画像に重畳表示されることについて述べた。
【０１４９】
これに対して、携帯機器３（３ａ）が、投稿情報および表示タイミングの情報を直接ツイッターサーバ１０２に送信し、表示タイミングに応じてツイッターサーバ１０２から携帯機器３（３ａ）が投稿情報を取得可能としてもよい。つまり、表示タイミングに対応する年月日、および、時間となるまでは、携帯機器３（３ａ）からツイッターサーバ１０２に情報取得要求が送信されたとしても、当該表示タイミングが設定された投稿情報は携帯機器３（３ａ）に送信しない。そして、表示タイミングに対応する年月日、および、時間となった場合に、携帯機器３（３ａ）からツイッターサーバ１０２に情報取得要求が送信されると、当該表示タイミングが設定された投稿情報をツイッターサーバ１０２から携帯機器３（３ａ）に送信する。これにより、一のサーバ装置でメッセージ情報の指標を携帯機器３（３ａ）に表示させるタイミングを予め設定できる。また、ユーザが他のユーザに表示させたいタイミングでメッセージ情報に関する指標を他のユーザの携帯機器３ａの表示部２２ａに表示できる。
【０１５０】
また、上記実施の形態では表示装置２（２ａ）は、画面上で各ユーザがタッチした画面座標位置を検出して当該画面座標位置を携帯機器３（３ａ）に送信し、携帯機器３（３ａ）がその画面座標位置に基づいて各ユーザの操作内容を判定していた。これに対して、表示装置２（２ａ）が各ユーザの操作内容を判定するようにしてもよい。この場合、携帯機器３（３ａ）は、各ユーザの操作内容の判定は行わず、各サーバ装置との通信機能を有する。
【０１５１】
また、上記実施の形態では、携帯機器３（３ａ）がＧＰＳ３４（３４ａ）を備え、ＧＰＳ３４（３４ａ）からの情報により位置導出部４５（４５ａ）が携帯機器３（３ａ）の座標位置を導出していた。これに対して、車両１１（１１ａ）の座標位置、つまり表示装置２（２ａ）の導出は、表示装置２（２ａ）が行うようにしてもよい。つまり、表示装置２（２ａ）がＧＰＳ３４（３４ａ）を備え、かつ、表示装置２（２ａ）の制御部２４（２４ａ）が位置導出部４５（４５ａ）を備えることで表示装置２（２ａ）の座標位置を導出するようにしてもよい。
【０１５２】
また、上記実施の形態では、携帯機器３（３ａ）が備えている機能について説明したが、このように携帯機器３（３ａ）が備えている機能を表示装置２（２ａ）が備えて実現するようにしてもよい。
【０１５３】
また、上記実施の形態では、携帯機器３（３ａ）は、地図サーバ１０３から地図画像を取得し、当該地図画像を表示部３２（３２a）に表示することについて述べたが、地図画像を地図サーバ１０３から取得することなく、記憶部３７（３７a）に予め地図画像を記憶するようにしてもよい。
【０１５４】
また、上記実施の形態では、情報を投稿するユーザを車両１１のユーザとして説明したが、情報を投稿するユーザは必ずしも車両に乗車している必要はなく、徒歩で移動しているユーザであってもよい。なお、このような徒歩で移動しているユーザの場合は、表示装置２は用いずに携帯機器３を用いてメッセージ情報を投稿する。
【０１５５】
また、上記実施の形態では、他のユーザは車両１１ａの運転者を含む乗員としたが、車両１１ａの運転者を含む乗員以外でも、車両１１ａに乗車せず例えば、徒歩で移動しているユーザであってもよい。なお、このような徒歩で移動しているユーザの場合は、表示装置２ａは用いずに携帯機器３ａを用いてコメントを投稿する。
【０１５６】
また、上記実施の形態では、車両１１のユーザにより表示タイミングが設定されていない場合に、音声ファイル、および、メッセージ投稿位置の情報が情報格納サーバ１０１、および、ツイッターサーバ１０２を介して各ユーザの携帯機器３（３ａ）に送信されることについて説明した。これに対し別の手法として次のような処理としてもよい。車両１１のユーザにより表示タイミングが設定されていない場合に、車両１１のユーザの操作により情報生成部４３が生成した音声ファイルが情報格納サーバ１０１に送信される。そして、情報格納サーバ１０１から音声ファイルの保存場所の情報が車両１１のユーザの携帯機器３に送信される。次に、携帯機器３から音声ファイルの保存場所の情報であるＵＲＬと、メッセージ投稿位置とを含む投稿情報をツイッターサーバ１０２に送信し、当該投稿情報を受信したツイッターサーバ１０２は各ユーザの携帯機器３（３ａ）からの情報取得要求に応じて、投稿情報を各ユーザの携帯機器３（３ａ）に送信するようにしてもよい。
【０１５７】
また、上記実施の形態において、メッセージ情報等の情報について各ユーザの音声を例に述べたが、音声以外に定型文などの文章の情報であってもよい。
【０１５８】
また、上記実施の形態における各画像で、投稿アイコンが複数表示されている場合に、表示部２２（２２ａ）に表示される投稿アイコンを限定する機能を有するボタンを設けてもよい。例えば、他のユーザがメッセージ情報の内容を確認した投稿アイコンのみを選択して表示したり、他のユーザがメッセージ情報の内容を確認していない投稿アイコンのみを選択して表示する機能を有するボタンを設けてもよい。
【０１５９】
また、上記実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【０１６０】
１・・・・・・・・ 情報投稿システム
２（２ａ）・・・・ 表示装置
３（３ａ）・・・・ 携帯機器
１１（１１a）・・・車両
１０１・・・・・・ 情報格納サーバ
１０２・・・・・・ ツイッターサーバ
１０３・・・・・・ 地図サーバ
【図１】
2013120317.tif 000003
【図２】
2013120317.tif 000004
【図３】
2013120317.tif 000005
【図４】
2013120317.tif 000006
【図５】
2013120317.tif 000007
【図６】
2013120317.tif 000008
【図７】
2013120317.tif 000009
【図８】
2013120317.tif 000010
【図９】
2013120317.tif 000011
【図１０】
2013120317.tif 000012
【図１１】
2013120317.tif 000013
【図１２】
2013120317.tif 000014
【図１３】
2013120317.tif 000015
【図１４】
2013120317.tif 000016
【図１５】
2013120317.tif 000017
【図１６】
2013120317.tif 000018
【図１７】
2013120317.tif 000019